(57)【要約】【課題】施錠状態において操作レバーを操作しても、操作レバーと作動杆を連結する部材が摩耗することなく、長期間安定して使用できる家具用扉のラッチ装置を提供する。【解決手段】作動杆２２に固定され、閉状態となるよう付勢されたラッチ２３と、作動杆２２の外周に回動自在に設けられた駆動筒２７と、作動杆２２に固定された作動筒２６と、操作レバー２１と駆動筒２７を連結する連結部６０を設けた。また、施錠手段３０は、施錠時には作動筒２６の回動を規制するよう形成した。そして、解錠時には、駆動筒２７と作動筒２６が一体に回転し、施錠時には、操作レバー２１と駆動筒２７が作動するように構成した。【選択図】  図３
2015121064.tif 000002
【特許請求の範囲】
【請求項１】
長尺棒状に形成され、回動自在に支持される作動杆と、
前記作動杆の端部に固定して設けられ、閉状態に付勢されるラッチと、
略筒状に形成され、前記作動杆に固定して設けられる作動筒と、
略筒状に形成され、前記作動杆の外周に、前記作動杆に対して回動自在に設けられる駆動筒と、
前後方向に移動可能とされて家具用扉の開閉操作を可能とする操作レバーと、
前記操作レバーと前記駆動筒を連結し、前記操作レバーの前後移動により駆動筒を回転させる連結部と、
施錠手段と、
前記作動筒から突出する作動突起と、
前記駆動筒から突出する当接突起を前記作動突起側に圧接する弾性部材と、を有し、
前記施錠手段により前記作動杆の回動が阻止されていないとき、前記弾性部材により前記当接突起と前記作動突起とを圧接して前記駆動筒と前記作動筒が一体に回転し、前記施錠手段により前記作動杆の回動が阻止されたときは、前記当接突起と前記作動突起の接触が外れて操作レバーと駆動筒が作動することを特徴とする家具用扉のラッチ装置。
【請求項２】
前記連結部は、前記駆動筒から突出するとともにリンクピンを有するリンク突起と、前記操作レバーと連結されるとともに前記リンクピンが係合する長孔を有し、前記操作レバーに固着される係合部材と、を有することを特徴とする請求項１に記載の家具用扉のラッチ装置。
【請求項３】
前記施錠手段は出没可能に形成された施錠部材を有し、前記作動筒は該作動筒から突出する施錠突起を有し、施錠時には、前記施錠部材を突出して、前記施錠部材と前記施錠突起を当接させて、前記作動杆の回動を阻止するように形成することを特徴とする請求項１又は請求項２に記載の家具用扉のラッチ装置。
【発明の詳細な説明】
【技術分野】
【０００１】
本発明は、家具用扉のラッチ装置に関し、更に詳細には、施錠可能に形成された開き戸に用いられる家具用扉のラッチ装置に関する。
【背景技術】
【０００２】
ラッチ装置が備えられた家具用の扉は、一般的には開き戸として形成される。そしてラッチ装置の構成は、ラッチが固設された作動杆と操作レバーが連結して形成される。その動作は、操作レバーを操作すると作動杆が回動してラッチと家具本体の係合が解除され、扉を開けることができる。この場合、施錠手段は作動杆の回動を規制するよう設けられるので、施錠状態において操作レバーを無理に操作すると、操作レバーと作動杆を連結する部材の破損等の不具合が生じてしまう。特許文献１に開示されるラッチ装置は、これを防止するため、作動杆の外周に、上下に分割された保持管を形成した。
【０００３】
この上下の保持管には、上下の保持管が縦方向に対面する位置に、それぞれ凹凸曲線部が形成される。そして、この凹凸曲線部は、係脱可能に形成されている。上保持管は操作レバーと連結し、下保持管は施錠手段と係合可能に形成される。このような構成の従来のラッチ装置は、施錠時に操作レバーを操作すると上下の保持管の係合が解除され、上保持管のみ回動されるので、施錠時に操作レバーを操作しても、操作レバーと作動杆を連結する部材に無理な力が加えられることがなく、破損等の恐れがない構成となっている。
【先行技術文献】
【特許文献】
【０００４】
【特許文献１】特許第３４９４４８６号公報
【発明の概要】
【発明が解決しようとする課題】
【０００５】
特許文献１における上下の保持管に形成された凹凸曲線部は、施錠時に操作レバーを操作した場合、互いの凹凸曲線部が摺接することとなるので、長期間の使用により摩耗してしまう。凹凸曲線部の摩耗が進むと、最終的には扉を開けることが出来なくなるという問題がある。また、施錠時に操作レバーを操作した場合、凹凸曲線部に操作レバーからの力が加えられていながら下保持管が施錠手段により固定されているので、下保持管にねじり応力等の無理な力がかかりやすい。よって、下保持管は肉厚にする等の処置が必要になってしまう。
【課題を解決するための手段】
【０００６】
本発明に係るラッチ装置は、長尺棒状に形成され、回動自在に支持される作動杆と、前記作動杆の端部に固定して設けられ、閉状態に付勢されるラッチと、略筒状に形成され、前記作動杆に固定して設けられる作動筒と、略筒状に形成され、前記作動杆の外周に、前記作動杆に対して回動自在に設けられる駆動筒と、前後方向に移動可能とされて家具用扉の開閉操作を可能とする操作レバーと、前記操作レバーと前記駆動筒を連結し、前記操作レバーの前後移動により駆動筒を回転させる連結部と、施錠手段と、前記作動筒から突出する作動突起と、前記駆動筒から突出する当接突起を前記作動突起側に圧接する弾性部材と、を有し、前記施錠手段により前記作動杆の回動が阻止されていないとき、前記弾性部材により前記当接突起と前記作動突起とを圧接して前記駆動筒と前記作動筒が一体に回転し、前記施錠手段により前記作動杆の回動が阻止されたときは、前記当接突起と前記作動突起の接触が外れて操作レバーと駆動筒が作動するようにした。
【０００７】
また、前記連結部は、前記駆動筒から突出するとともにリンクピンを有するリンク突起と、前記操作レバーと連結されるとともに前記リンクピンが係合する長孔を有し、前記操作レバーに固着される係合部材と、を有するものである。
【０００８】
また、前記施錠手段は出没可能に形成された施錠部材を有し、前記作動筒は該作動筒から突出する施錠突起を有し、施錠時には、前記施錠部材を突出して、前記施錠部材と前記施錠突起を当接させて、前記作動杆の回動を阻止するように形成するものである。
【発明の効果】
【０００９】
以上の構成により、操作レバーから作動杆への力の伝達を弾性部材、例えば金属製のねじりコイルばねを使用することができる。よって、施錠時の操作レバーからの力は、この弾性部材により吸収されるので、操作レバーと作動杆を連結する部材に無理な力が掛からず、長期間安定して使用することのできる家具用扉のラッチ装置を提供することができる。
【００１０】
また、連結部は、リンク突起のリンクピンと、操作レバーに固着される係合部材に設けられた長孔が係合するように形成した。これにより、摩耗し易い形状、例えば凹凸曲線部のような複雑で摩耗に弱い形状を採用する必要がなく、構造簡単で製造し易い家具用扉のラッチ装置とすることができる。
【００１１】
また、施錠手段は、施錠部材と施錠突起を当接させて、作動杆の回動を阻止するように形成した。これにより、構造簡単な構成により施錠手段を構成して、確実に作動杆の回動を阻止して施錠できる家具用扉のラッチ装置とすることができる。
【図面の簡単な説明】
【００１２】
【図１】本発明の実施形態に係るラッチ装置を備える家具用扉の正面図である。
【図２】本発明の実施形態に係るラッチ装置を備える家具用扉の背面図である。
【図３】本発明の実施形態に係るラッチ装置の要部を示す斜視図である。
【図４】本発明の実施形態に係るラッチ装置の分解斜視図である。
【図５】図１のＶ−Ｖ断面図であり、本発明の実施形態に係るラッチ装置の解錠状態における動作を説明する図である。（ａ）は操作レバーが操作されていない状態を示し、（ｂ）は操作レバーが操作された状態を示す。
【図６】図１のＶ−Ｖ断面図であり、本発明の実施形態に係るラッチ装置の施錠状態における動作を説明する図である。（ａ）は操作レバーが操作されていない状態を示し、（ｂ）は操作レバーが操作された状態を示す。
【発明を実施するための形態】
【００１３】
以下、本発明の実施の形態を図１〜図６に基づいて説明する。なお、以下の説明においては、図１の扉１０の表面側（正面側）を前側とし、裏側（背面側）を後側とし、上方を上、下方を下とする。また、図１を見て左方（操作レバー２１が設けられる側）を左、右方を右として説明する。
【００１４】
図１は、本発明に係るラッチ装置を備える家具用の扉１０である。この扉１０は、図示しない家具本体に開き戸として、操作レバー２１側の左辺縁を手前に開くことができるように右辺縁を回転軸等により家具本体に取付けられる。なお、この扉１０が設けられる家具は、オフィス等で用いられるロッカーやファイル棚等のスチール製の家具である。また、扉は両開きでもよいし、片開きのものでもよい。両開きの家具の場合は、扉１０を右側の扉として、左側の扉は取手がない扉として形成される。
【００１５】
扉１０は、左側の上下方向の略中央部分に開口孔１０ａが形成されている。そして、開口孔１０ａには、正面側に突出可能に形成される操作レバー２１が設けられている。開口孔１０ａは、後側から後述のケース５０により覆われている。操作者は、開口孔１０ａに手を入れて操作レバー２１を操作者側（すなわち扉１０の前方側）に引き出すと、操作レバー２１が平行移動して、扉１０を開くことができる。また、開口孔１０ａの下方には、シリンダキーの鍵口３１が設けられている。
【００１６】
図２は扉１０を後方から見た図である。扉１０の右側縁部には、上下二か所に家具本体と連結させるための部材を取り付ける切欠１２が設けられている。そして、扉１０の左側には、ラッチ装置２０が設けられている。ラッチ装置２０には、扉の上下端近傍まで延びる作動杆２２が設けられている。作動杆２２の上下の端部には鉤状のラッチ２３が固定されており、図示しない家具本体に設けた開口部の縁部と係合するように形成されている。そして、ラッチ装置２０には、ラッチ装置２０の要部となる作動筒２６、駆動筒２７、そして操作レバー２１と駆動筒２７を連結する二つの係合部材２８、施錠手段３０が設けられ、これらはケース５０に設けられている。なお、図２では、ケース５０を覆う後述するカバー４０が省略されている。
【００１７】
次に、図３及び図４に基づいて、ラッチ装置２０の構成を説明する。
作動杆２２は、断面を略正方形に形成されている。作動杆２２の両端部のそれぞれには、鉤状に形成されるラッチ２３が軸部２３ａを介して作動杆２２に固定して設けられている。軸部２３ａは、外形が円形に形成される軸部分がラッチ２３から突出している。一方、ラッチ２３が収められるラッチケース２４には、軸部２３ａを回動自在に支持する孔部２４ａが設けられている。また、ラッチケース２４には、扉１０と係止する係止突起２４ｂがそれぞれ二か所設けられている。図２に示すように、扉１０の裏面の、上下縁の作動杆２２の左右には、矩形に開けられた係止孔部１０ｂが形成されている。ラッチケース２４は、係止突起２４ｂが係止孔部１０ｂに係止することで、扉１０に固定される。これにより、作動杆２２及びラッチ２３は、扉１０に対して回動自在に設けられることとなる。
【００１８】
また、図４に示すように、それぞれのラッチケース２４の内部には、ねじりコイルばね２５が設けられている。ねじりコイルばね２５は、作動杆２２に巻回して設けられ、一端をラッチケース２４の内部に固定され、他端はラッチ２３に接続される。これにより、ラッチ２３は閉状態となるよう付勢されている。換言すれば、ラッチ２３が図示しない家具本体の開口部の縁部と係合する方向に付勢されている。そして、ラッチ２３が閉状態となるよう付勢されることによるラッチ２３の回動は、ラッチケース２４から立設する開口縁部２４ｃと当接して規制されている。
【００１９】
図３及び図４に示すように、作動杆２２には、略筒状に形成された作動筒２６が固定され、作動杆２２と作動筒２６が一体回転するよう形成されている。作動筒２６の外表面からは、作動筒２６の長手方向に沿ってリブ状に突出して形成された施錠突起２６ａが設けられている。この施錠突起２６ａにおける後述の当接突起２７ｂと向かい合う面には、直方体状に突出して形成され、その基端部に弾性部材２９であるねじりコイルばねの一端が係止する突出部２６ａ１が形成されている。そして、この施錠突起２６ａから作動筒２６の軸心周りに所定角度の位相をずらした位置に、作動筒２６の長手方向に沿って外表面からリブ状に突出して形成された作動突起２６ｂが設けられている。作動突起２６ｂには、上側の一部を作動筒２６と所定の間隔を有して切欠状に形成される隙間が設けられており、後述の弾性部材２９を巻回して装着可能に形成されている。この作動突起２６ｂと施錠突起２６ａとの間には、両者と接続するようにして左右方向に板状に形成された補強板２６ｃが設けられている。補強板２６ｃにより、施錠突起２６ａと作動突起２６ｂの作動杆２２周りの変形が防止されている。
【００２０】
また一方で、作動杆２２には、略筒状に形成された駆動筒２７が、作動杆２２周りに回動自在に設けられている。駆動筒２７の両端部近傍には、それぞれ駆動筒２７の外表面から突出して形成されたリンク突起２７ａが設けられている。リンク突起２７ａは、駆動筒２７の軸心側から見て略三角形状の平板状に形成されている。リンク突起２７ａの略三角形状の先端部付近には、駆動筒２７の軸心方向と平行に、駆動筒２７の軸心方向外側へ向けてリンクピン２７ａ１が設けられている。また、駆動筒２７における作動筒２６側の端部には、リンク突起２７ａと所定の角度位相をずらして、駆動筒２７の長手方向に沿って略リブ状に外表面から突出して形成された当接突起２７ｂが設けられている。この当接突起２７ｂには、施錠突起２６ａと向かい合う面から隆起して形成され、その隆起した基端部に弾性部材２９であるねじりコイルばねの他端側が係止される隆起部２７ｂ１が形成されている。
【００２１】
一方で、ラッチ装置２０の連結部６０には、リンク突起２７ａのリンクピン２７ａ１と係合しつつ、操作レバー２１と螺合接続される係合部材２８が二か所のリンクピン２７ａ１に対応して設けられている。係合部材２８は、略箱形状の扉１０側の面と作動杆２２側の面を省略して平板状の部材を組み合わせ、扉１０側の面と作動杆２２側の面を開口した箱状部２８ａが形成されている。さらに、係合部材２８は、箱状部２８ａの外表面から、上下の係合部材２８が向き合う方向に向けて係合突出部２８ｂが形成されている。
【００２２】
係合突出部２８ｂには、扉１０に向けて貫通孔が形成されている。係合部材２８と操作レバー２１は、２本のねじ２８ｂ１が係合突出部２８ｂの貫通孔を介して、操作レバー２１に設けられた二か所の雌ねじ部２１ａと螺合することで固着される。一方、箱状部２８ａのリンクピン２７ａ１の突出方向側の板状部分には、リンクピン２７ａ１と係合する左右方向を長軸とする長孔２８ａ１が形成され、二面が開口した箱状部２８ａに、リンク突起２７ａの先端部分を開口した面から挿入し、リンクピン２７ａ１を長孔２８ａ１に係合させている。このようにして、操作レバー２１と駆動筒２７を連結する連結部６０は、リンク突起２７ａ、係合部材２８により構成される。
【００２３】
作動筒２６における駆動筒２７と向かい合う筒状の部分は、一部を駆動筒２７の内径に遊嵌している。そして、作動筒２６の上側の外周には、弾性部材２９が設けられている。本実施の形態においては、弾性部材２９は、ねじりコイルばねとして形成されている。弾性部材２９であるねじりコイルばねは、両端部を一段曲げとして形成されている。弾性部材２９の一端は、施錠部材２６ａに形成される突出部２６ａ１に係止され、他端は当接突起２７ｂに形成された隆起部２７ｂ１に係止される。このようにして、弾性部材２９により、作動筒２６と駆動筒２７は施錠突起２６ａと当接突起２７ｂとの間隔を広げるようにして、互いに相反する回転方向に付勢され、作動突起２６ｂと当接突起２７ｂは当接して圧接される。なお、弾性部材２９の付勢力は、ねじりコイルばね２５によりラッチ２３が閉状態となるように付勢される付勢力よりも強く設定されている。
【００２４】
また、作動杆２２の右側であって、作動筒２６と左右方向に対向する位置には、施錠手段３０が設けられている。施錠手段３０は、鍵が挿入される鍵口３１（図１参照）を有するシリンダ部３２と、板状の施錠部材３３により構成されている。施錠手段３０は、施錠部材３３を出没可能に形成されている。すなわち、鍵口３１に鍵が挿入されて施錠されると、施錠部材３３が作動筒２６に向かって突出して施錠突起２６ａと当接し、解錠時には施錠部材３３と施錠突起２６ａとが離間するように形成されている。
【００２５】
図２に示すように、扉１０の裏面側であって操作レバー２１と連結されるラッチ装置２０の主要部分である作動筒２６、駆動筒２７、施錠手段３０等はケース５０に設けられる。そして、作動筒２６及び駆動筒２７は、図４に示すケース５０内に設けられた軸受部５０ａ、５０ｂ、５０ｃにより回動自在に支持されている。ケース５０の表面側には、操作レバー２１が設けられている。なお、操作レバー２１の表面は、ラッチ２３の閉状態においては、扉１０の表面と略同一平面内となるように形成されている。また、ケース５０は、カバー４０が取り付けられ、ラッチ装置２０の要部の構造が保護されている。
【００２６】
次に、本発明のラッチ装置２０の動作を、図５（ａ）、（ｂ）及び図６（ａ）、（ｂ）に基づいて説明する。図５（ａ）、（ｂ）及び図６（ａ）、（ｂ）は、図１のＶ−Ｖ断面におけるラッチ装置２０の要部周辺を表している。図５（ａ）、（ｂ）は解錠状態を示している。すなわち、施錠部材３３と施錠突起２６ａが当接していない状態における動作説明図である。図６（ａ）、（ｂ）は施錠状態を示している。すなわち、施錠部材３３と施錠突起２６ａが当接している状態における動作説明図である。
【００２７】
まず、図５（ａ）、（ｂ）に基づいて、解錠状態で操作レバー２１を操作した場合の動作を説明する。図５（ａ）では、ラッチ２３は閉状態を示している。ここで操作者が操作レバー２１を前方に引き出して移動させると、操作レバー２１と連結されている二か所の係合部材２８も前方に移動する。すると、左右方向を長軸とする長孔２８ａ１も前方へ移動するので、長孔２８ａ１と係合するリンクピン２７ａ１は作動杆２２回りに、図５で見て時計回りに回動する。よって、駆動筒２７は、図５で見て時計回りに回動することとなる。駆動筒２７が時計回りに回動すると、その回転力が当接突起２７ｂを介して弾性部材２９であるねじりコイルばねの弾性力とされ、施錠突起２６ａを時計回りに付勢し、その結果、作動突起２６ｂを時計回りに付勢する。すなわち、駆動筒２７が時計回りに回動すると、作動筒２６も時計回りに回動する。ここで、作動突起２６ｂは当接突起２７ｂと当接しているので、作動筒２６と駆動筒２７は同調して回動し、作動筒２６が急激に回動してしまうことはない。
【００２８】
作動突起２６ｂは当接突起２７ｂに当接した状態を維持しながら、時計回りに回動する。作動筒２６の時計回りの回動により、作動杆２２も時計回りに回動し、ラッチ２３はねじりコイルばね２５の付勢力に抗して開状態（ラッチ２３が図示しない家具本体の開口部縁との係合が解除される状態）となって、図５（ｂ）に示す状態となる。このとき、扉１０を開けることができる。なお、操作レバー２１の前方への移動は、二か所の係合部材２８の前端面がケース５０の対向面と当接することにより規制される。
【００２９】
操作者が操作レバー２１から手を離すと、ラッチ２３を閉状態（すなわち図５で見て反時計回りの方向）へと付勢するねじりコイルばね２５の付勢力により、ラッチ２３及び作動杆２２が反時計回りに回動し、これにより作動筒２６も反時計回りに回動する。そして、作動筒２６が反時計回りに回動すると、作動突起２６ｂ及び施錠突起２６ａも反時計回りに回動して、弾性部材２９により当接突起２７ｂも反時計回りに回動する。そして、リンク突起２７ａ、すなわちリンクピン２７ａ１が反時計回りに回動し、長孔２８ａ１を介して、係合部材２８及び操作レバー２１が後方へ移動して、図５（ａ）の状態となる。この場合においても、弾性部材２９により作動筒２６と駆動筒２７は互いに相反する方向に付勢されているので、作動突起２６ｂと当接突起２７ｂが当接して圧接する状態は維持されている。なお、操作レバー２１の後方への移動は、操作レバー２１の表面端部から後方へ落ち込む傾斜状の段部２１ｂ（図４参照）とケース５０の対向する面との当接により規制されている。
【００３０】
扉１０を閉める場合には、図５（ａ）の状態のまま閉じることができる。この場合、ラッチ２３の鉤状の顎部頂点から突端部に向かう湾曲面と、ラッチ２３と対応する家具本体の開口部の縁部が摺接して、ラッチ２３が反時計回りの付勢力に抗して時計回りに押される。そして、ラッチ２３が家具本体の開口部に入り込むと、ラッチ２３が閉状態となるように付勢された付勢力により、ラッチ２３の突端部と開口部の縁部が係合することとなる。
【００３１】
次に、図６に基づいて、施錠手段３０による施錠がされた状態で操作レバー２１を操作した場合の動作を説明する。図６（ａ）は、施錠手段による施錠がされている状態である。よって、ラッチ２３は閉状態であるとともに、施錠部材３３と施錠突起２６ａが当接している。
【００３２】
操作レバー２１を操作者が前方に引き出して移動させると、操作レバー２１と連結される二か所の係合部材２８も前方に移動する。すると、左右方向を長軸とする長孔２８ａ１も前方へ移動するので、長孔２８ａ１と係合するリンクピン２７ａ１は作動杆２２回りに、図６で見て時計回りに回動する。ここで、作動筒２６の施錠突起２６ａは、施錠部材３３と当接しているので、作動筒２６の回動が阻止されている。ゆえに、図６（ｂ）に示すように、駆動筒２７が時計回りに回動し、当接突起２７ｂと作動突起２６ｂの接触が外れて、操作レバー２１と駆動筒２７が作動する。このように、弾性部材２９であるねじりコイルばねにより施錠突起２６ａを介して作動筒２６が時計回りの付勢力を受けても、作動筒２６は回動しない。作動筒２６が回動しないので、作動杆２２及びラッチ２３も回動することはなく、ラッチ２３の閉状態は継続される。そして、操作者が操作レバー２１から手を離すと、弾性部材２９の付勢力により、操作レバー２１は後方に移動して図６（ａ）の状態に戻る。
【００３３】
このようにして、施錠状態においては、ラッチ２３を開状態にすることなく、弾性部材２９の付勢力に抗して操作レバー２１の引き出し限まで操作レバー２１を操作することができる。よって、施錠状態において操作レバー２１を操作しても、弾性部材２９が弾性変形して操作レバー２１からの力を吸収するので、操作レバー２１からの無理な力が作動筒２６や作動杆２２に掛かることがなく、よって操作レバー２１と作動杆２２までを連結している部材の破損等を防止することができる。また、係合部材２８、駆動筒２７、作動筒２６を合成樹脂の射出成形により形成しても、摺接して摩耗し易い個所がないので、長期間安定してラッチ装置２０を使用することができる。特に、弾性部材２９を本実施の形態のようにねじりコイルばねにて形成すれば、より長期間安定してラッチ装置２０を使用することができる。
【００３４】
以上、本発明の実施の形態を説明したが、本発明はこれに限られることなく、種々の変更を加えることができる。例えば、操作レバー２１と駆動筒２７とを連結する連結部６０を、係合部材２８の長孔２８ａ１及びリンクピン２７ａ１（リンク突起２７ａ）により構成したが、これに限られず、例えば、係合部材２８とリンク突起２７ａを、両者をピン結合にて連結する連結杆により構成してもよい。また、弾性部材２９は、ねじりコイルばねに限られず、リンク突起２７ａと作動突起２６ｂとが弾性的に連結されていれば、板ばね等に変更することもできる。
【００３５】
また、ラッチ２３は本実施の形態においては二か所に設けられているが、一か所に設けるよう構成してもよい。また、操作レバー２１は、二か所の連結部６０（係合部材２８、リンク突起２７ａ）により駆動筒２７と連結されるので、安定して操作レバー２１を操作することができるが、連結部を一か所に形成することもできる。
【符号の説明】
【００３６】
１０  扉                              １０ａ  開口孔
１０ｂ  係止孔部                      １２  切欠
２０  ラッチ装置                      ２１  操作レバー
２１ａ  雌ねじ部                      ２１ｂ  段部
２２  作動杆                          ２３  ラッチ
２３ａ  軸部                          ２４  ラッチケース
２４ａ  孔部                          ２４ｂ  係止突起
２４ｃ  開口縁部                      ２６  作動筒
２６ａ  施錠突起                      ２６ｂ  作動突起
２６ｂ１  突出部
２６ｃ  補強板                        ２７ａ  リンク突起
２７ａ１  リンクピン                  ２７ｂ  当接突起
２７ｂ１  隆起部
２８  係合部材                        ２８ａ  箱状部
２８ａ１  長孔                        ２８ｂ  係合突出部
２９  弾性部材                        ３０  施錠手段
３１  鍵口                            ３２  シリンダ部
３３  施錠部材                        ４０  カバー
５０  ケース                          ５０ａ  軸受部
６０  連結部
【図１】
2015121064.tif 000003
【図２】
2015121064.tif 000004
【図３】
2015121064.tif 000005
【図４】
2015121064.tif 000006
【図５】
2015121064.tif 000007
【図６】
2015121064.tif 000008